(57)【要約】【課題】  適正な測定状態を音でユーザーに報知して、ユーザーの操作性や利便性を向上できる超音波測定装置及び超音波測定装置の制御方法の提供。【解決手段】  超音波測定装置は、走査面に沿ってスキャンしながら超音波ビームを送信すると共に、超音波ビームによる超音波エコーを受信する超音波トランスデューサーデバイス２０と、超音波トランスデューサーデバイス２０からの受信信号に基づいて処理を行う処理部１２０と、音を出力する音出力部１３０と、を含む。そして、音出力部１３０は、測定箇所表面に対する超音波トランスデューサーデバイス２０の走査面の方向に応じて、音量、音の出力間隔、音の周波数及び音パターンのうちの少なくとも一つが変化する音を出力する。【選択図】  図１
2014226186.tif 000002
【特許請求の範囲】
【請求項１】
走査面に沿ってスキャンしながら超音波ビームを送信すると共に、前記超音波ビームによる超音波エコーを受信する超音波トランスデューサーデバイスと、
前記超音波トランスデューサーデバイスからの受信信号に基づいて処理を行う処理部と、
音を出力する音出力部と、
を含み、
前記音出力部は、
測定箇所表面に対する前記超音波トランスデューサーデバイスの前記走査面の方向に応じて、音量、音の出力間隔、音の周波数及び音パターンのうちの少なくとも一つが変化する音を出力することを特徴とする超音波測定装置。
【請求項２】
請求項１において、
前記処理部は、
前記受信信号に基づいて得られるＡモード波形データの振幅に基づいて、音量、音の出力間隔、音の周波数及び音パターンのうちの少なくとも一つを変化させる処理を行うことを特徴とする超音波測定装置。
【請求項３】
請求項２において、
前記処理部は、
前記測定箇所表面に対する前記超音波トランスデューサーデバイスの前記走査面の方向が、第１の方向〜第Ｋ（Ｋは２以上の整数）の方向のうちの第Ｌ（１≦Ｌ≦Ｋ）の方向である時のＡモード波形データ群を、前記受信信号に基づいて取得し、前記第Ｌの方向での前記Ａモード波形データ群に基づいて、前記Ａモード波形データの振幅を求め、求めた前記振幅に基づいて、音量、音の出力間隔、音の周波数及び音パターンのうちの少なくとも一つを設定する処理を行うことを特徴とする超音波測定装置。
【請求項４】
請求項１において、
前記処理部は、
前記受信信号に基づいて得られるＡモード波形データの振幅に基づいて、音生成部からの音に対して、ＡＭ変調又はＦＭ変調を行い、
前記音出力部は、
前記ＡＭ変調又は前記ＦＭ変調後の音を出力することを特徴とする超音波測定装置。
【請求項５】
請求項４において、
前記処理部は、
前記測定箇所表面に対する前記超音波トランスデューサーデバイスの前記走査面の方向が、第１の方向〜第Ｋ（Ｋは２以上の整数）の方向のうちの第Ｌ（１≦Ｌ≦Ｋ）の方向である時のＡモード波形データ群を、前記受信信号に基づいて取得し、前記第Ｌの方向での前記Ａモード波形データ群に基づいて、前記Ａモード波形データの振幅を求め、求めた前記振幅に基づいて、前記音生成部からの音に対して、前記ＡＭ変調又は前記ＦＭ変調を行うことを特徴とする超音波測定装置。
【請求項６】
請求項３又は５において、
前記処理部は、
前記第Ｌの方向での前記Ａモード波形データ群の平均化処理又は前記第Ｌの方向での前記Ａモード波形データ群からの代表Ａモード波形データの選択処理を行うことで、前記Ａモード波形データを求めることを特徴とする超音波測定装置。
【請求項７】
請求項１乃至６のいずれかにおいて、
前記処理部は、
前記走査面が前記測定箇所表面に対して垂直な面に近付くにつれて、音量を大きくする処理、音の出力間隔を速くする処理、音の周波数を高くする処理、及び音パターンを変更する処理のうちの少なくとも一つの処理を行うことを特徴とする超音波測定装置。
【請求項８】
請求項１乃至６のいずれかにおいて、
前記音出力部は、
前記受信信号に基づいて得られるＡモード波形の振幅が所与の閾値未満の場合には、音を非出力とし、前記振幅が前記所与の閾値以上の場合に、音の出力を開始することを特徴とする超音波測定装置。
【請求項９】
請求項１乃至６のいずれかにおいて、
前記処理部は、
前記走査面が前記測定箇所表面に対して垂直な面に近付くにつれて、音量を小さくする処理、音の出力間隔を遅くする処理、音の周波数を低くする処理、及び音パターンを変更する処理のうちの少なくとも一つの処理を行うことを特徴とする超音波測定装置。
【請求項１０】
走査面に沿ってスキャンしながら超音波ビームを送信すると共に、前記超音波ビームによる超音波エコーを受信する超音波トランスデューサーデバイスからの受信信号に基づいて処理を行い、音を出力する超音波測定装置の制御方法であって、
測定箇所表面に対する前記超音波トランスデューサーデバイスの前記走査面の方向に応じて、音量、音の出力間隔、音の周波数及び音パターンのうちの少なくとも一つが異なる音を出力することを特徴とする超音波測定装置の制御方法。
【発明の詳細な説明】
【技術分野】
【０００１】
本発明は、超音波測定装置及び超音波測定装置の制御方法等に関係する。
【背景技術】
【０００２】
対象物に向けて超音波を出射し、対象物内部における音響インピーダンスの異なる界面からの反射波を受信する装置として、例えば被検体である人体の内部を検査するための超音波測定装置が知られている。そして、一般的な超音波測定装置では、超音波プローブと、測定結果を表示する表示部とは、別筺体で構成されている。
【０００３】
一方、超音波測定装置の応用例として、内臓脂肪の測定や血流量の測定など、被検体の表層の画像診断を行うヘルスケア分野への展開が期待されている。このようなヘルスケア分野では、超音波プローブと表示部とを一体化して装置のコンパクト化を図ることが望まれる。
【０００４】
ここで、ユーザーが自ら超音波プローブをその体に当てて、生体情報を測定するシーンを想定する。すると、測定箇所によっては、ユーザーが表示部の画面を見ることが出来ない状態で、超音波プローブを体に当てて測定を行う必要がある。このため、超音波ビームの走査面の方向が理想的な方向とずれてしまい、正しい測定結果を得ることができないおそれがある。これは、例えば表示部が一体に設けられた超音波測定装置において大きな問題となる。また、表示部が一体となっていない超音波測定装置においても、適切な測定のために表示部の画像を操作者が注視しながら、超音波ビームの走査面の方向等の測定状態が適切になるように調整する必要があり、測定操作が簡単ではなかったという問題がある。なお、超音波測定装置の従来技術としては例えば特許文献１等に開示される技術がある。
【先行技術文献】
【特許文献】
【０００５】
【特許文献１】特開２００６−９５１５１号公報
【発明の概要】
【発明が解決しようとする課題】
【０００６】
本発明の幾つかの態様によれば、適正な測定状態を音でユーザーに報知して、ユーザーの操作性や利便性を向上できる超音波測定装置及び超音波測定装置の制御方法等を提供することができる。
【課題を解決するための手段】
【０００７】
本発明の一態様は、走査面に沿ってスキャンしながら超音波ビームを送信すると共に、前記超音波ビームによる超音波エコーを受信する超音波トランスデューサーデバイスと、前記超音波トランスデューサーデバイスからの受信信号に基づいて処理を行う処理部と、音を出力する音出力部と、を含み、前記音出力部は、測定箇所表面に対する前記超音波トランスデューサーデバイスの前記走査面の方向に応じて、音量、音の出力間隔、音の周波数及び音パターンのうちの少なくとも一つが変化する音を出力する超音波測定装置に関係する。
【０００８】
本発明の一態様では、測定箇所表面に対する超音波トランスデューサーデバイスの走査面の方向が変わった場合に、音量、音の出力間隔、音の周波数及び音パターンのうちの少なくとも一つが異なる音を出力して、適正な測定状態である否かを音でユーザーに報知する。
【０００９】
よって、ユーザーの操作性や利便性を向上することが可能となる。
【００１０】
また、本発明の一態様では、前記処理部は、前記受信信号に基づいて得られるＡモード波形データの振幅に基づいて、音量、音の出力間隔、音の周波数及び音パターンのうちの少なくとも一つを変化させる処理を行ってもよい。
【００１１】
これにより、超音波トランスデューサーデバイスの走査面の方向に応じて音を変化させること等が可能になる。
【００１２】
また、本発明の一態様では、前記処理部は、前記測定箇所表面に対する前記超音波トランスデューサーデバイスの前記走査面の方向が、第１の方向〜第Ｋ（Ｋは２以上の整数）の方向のうちの第Ｌ（１≦Ｌ≦Ｋ）の方向である時のＡモード波形データ群を、前記受信信号に基づいて取得し、前記第Ｌの方向での前記Ａモード波形データ群に基づいて、前記Ａモード波形データの振幅を求め、求めた前記振幅に基づいて、音量、音の出力間隔、音の周波数及び音パターンのうちの少なくとも一つを設定する処理を行ってもよい。
【００１３】
これにより、出力される音によって、超音波トランスデューサーデバイスの走査面が向く方向をユーザーが判断すること等が可能になる。
【００１４】
また、本発明の一態様では、前記処理部は、前記受信信号に基づいて得られるＡモード波形データの振幅に基づいて、音生成部からの音に対して、ＡＭ変調又はＦＭ変調を行い、前記音出力部は、前記ＡＭ変調又は前記ＦＭ変調後の音を出力してもよい。
【００１５】
これにより、Ａモード波形データの振幅に応じて連続的に変化する音を出力すること等が可能になる。
【００１６】
また、本発明の一態様では、前記処理部は、前記測定箇所表面に対する前記超音波トランスデューサーデバイスの前記走査面の方向が、第１の方向〜第Ｋ（Ｋは２以上の整数）の方向のうちの第Ｌ（１≦Ｌ≦Ｋ）の方向である時のＡモード波形データ群を、前記受信信号に基づいて取得し、前記第Ｌの方向での前記Ａモード波形データ群に基づいて、前記Ａモード波形データの振幅を求め、求めた前記振幅に基づいて、前記音生成部からの音に対して、前記ＡＭ変調又は前記ＦＭ変調を行ってもよい。
【００１７】
これにより、出力される音によって、超音波トランスデューサーデバイスの走査面が向く方向をユーザーが判断すること等が可能になる。
【００１８】
また、本発明の一態様では、前記処理部は、前記第Ｌの方向での前記Ａモード波形データ群の平均化処理又は前記第Ｌの方向での前記Ａモード波形データ群からの代表Ａモード波形データの選択処理を行うことで、前記Ａモード波形データを求めてもよい。
【００１９】
これにより、第ＬのＡモード波形データの振幅を算出すること等が可能になる。
【００２０】
また、本発明の一態様では、前記処理部は、前記走査面が前記測定箇所表面に対して垂直な面に近付くにつれて、音量を大きくする処理、音の出力間隔を速くする処理、音の周波数を高くする処理、及び音パターンを変更する処理のうちの少なくとも一つの処理を行ってもよい。
【００２１】
これにより、例えば、音量が大きくなるほど、若しくは音の出力間隔が速くなるほど、又は音の周波数が高くなるほど、走査面が測定箇所表面に対して垂直な面に近付いたとユーザーが判断すること等が可能になる。
【００２２】
また、本発明の一態様では、前記音出力部は、前記受信信号に基づいて得られるＡモード波形の振幅が所与の閾値未満の場合には、音を非出力とし、前記振幅が前記所与の閾値以上の場合に、音の出力を開始してもよい。
【００２３】
これにより、音が出力されなくなった時に、走査面が測定箇所表面に対して垂直な面に近付いたとユーザーが判断すること等が可能になる。
【００２４】
また、本発明の一態様では、前記処理部は、前記走査面が前記測定箇所表面に対して垂直な面に近付くにつれて、音量を小さくする処理、音の出力間隔を遅くする処理、音の周波数を低くする処理、及び音パターンを変更する処理のうちの少なくとも一つの処理を行ってもよい。
【００２５】
これにより、例えば、音量が小さくなるほど、若しくは音の出力間隔が遅くなるほど、又は音の周波数が低くなるほど、走査面が測定箇所表面に対して垂直な面に近付いたとユーザーが判断すること等が可能になる。
【００２６】
また、本発明の他の態様では、走査面に沿ってスキャンしながら超音波ビームを送信すると共に、前記超音波ビームによる超音波エコーを受信する超音波トランスデューサーデバイスからの受信信号に基づいて処理を行い、音を出力する超音波測定装置の制御方法であって、測定箇所表面に対する前記超音波トランスデューサーデバイスの前記走査面の方向に応じて、音量、音の出力間隔、音の周波数及び音パターンのうちの少なくとも一つが異なる音を出力する超音波測定装置の制御方法に関係する。
【図面の簡単な説明】
【００２７】
【図１】本実施形態のシステム構成例。
【図２】図２（Ａ）〜図２（Ｃ）は、超音波測定装置の具体的な機器構成の一例。
【図３】図３（Ａ）、図３（Ｂ）は、測定時の様子の説明図。
【図４】図４（Ａ）は、Ｂモード画像の説明図であり、図４（Ｂ）は、Ａモード波形の説明図。
【図５】超音波トランスデューサーデバイスの走査面の方向の説明図。
【図６】図６（Ａ）〜図６（Ｃ）は、リニアスキャン方式、セクタースキャン方式の説明図。
【図７】走査面が適正な傾きになった時に音を出力する処理の説明図。
【図８】走査面が傾いている時に音を出力する処理の説明図。
【図９】本実施形態の処理の流れを説明するフローチャート。
【図１０】図１０（Ａ）〜図１０（Ｃ）は、超音波トランスデューサー素子の構成例。
【図１１】超音波トランスデューサーデバイスの構成例。
【図１２】図１２（Ａ）、図１２（Ｂ）は、各チャンネルに対応して設けられる超音波トランスデューサー素子群の構成例。
【発明を実施するための形態】
【００２８】
以下、本実施形態について説明する。まず、本実施形態の概要を説明し、次に本実施形態のシステム構成例について説明する。そして、本実施形態の手法について具体例を交えつつ詳細に説明し、超音波トランスデューサー素子及び超音波トランスデューサーデバイスの構成例について説明する。なお、以下に説明する本実施形態は、特許請求の範囲に記載された本発明の内容を不当に限定するものではない。また、本実施形態で説明される構成の全てが、本発明の必須構成要件であるとは限らない。
【００２９】
１．概要
超音波測定装置の超音波プローブを被検体の体に当てて、被検体の内臓脂肪や血流量の測定などを行うシーンを想定する。この場合に、正確な測定結果を得るためには、超音波プローブを測定箇所表面に対して垂直に当てた状態を保つ必要があるが、測定箇所によっては、ユーザーが表示部の画面を見ることが出来ない状態で、超音波プローブを体に当てて測定を行うこともある。このため、超音波ビームの走査面の方向が理想的な方向とずれてしまい、正しい測定結果を得ることができないおそれがある。これは、表示部が一体に設けられた超音波測定装置においても大きな問題となる。また、表示部が一体となっていない超音波測定装置においても、適切な測定のために表示部の画像を操作者が注視しながら、超音波ビームの走査面の方向等の測定状態が適切になるように調整する必要があり、測定操作が簡単ではなかったという問題がある。さらに、ノンエキスパートが自ら測定を行う場合には、超音波プローブの姿勢を保つことは尚更容易ではない。
【００３０】
そこで、本実施形態の超音波測定装置及び超音波測定装置の制御方法等は、適正な測定状態を音でユーザーに報知して、ユーザーの操作性や利便性を向上させる。例えば、超音波プローブの姿勢が理想的な姿勢から離れれば離れるほど、大きな音を出力したり、逆に、超音波プローブの姿勢が理想的な姿勢になった時に、メロディを出力したりする処理などを行う。さらに詳細な処理の内容については、後述する。
【００３１】
２．システム構成例
次に、本実施形態の超音波測定装置の構成例を図１に示す。
【００３２】
超音波測定装置は、超音波プローブ２００と、送受信部１１０と、処理部１２０と、音出力部１３０と、表示部３００と、を含む。そして、超音波プローブ２００は、超音波トランスデューサーデバイス２０を含む。なお、超音波測定装置は、図１の構成に限定されず、これらの一部の構成要素を省略したり、他の構成要素を追加したりするなどの種々の変形実施が可能である。例えば、超音波測定装置は、設定値等を入力するためのユーザインターフェース部（操作部）や記憶部等を含んでいても良い。また、本実施形態の超音波測定装置の一部又は全部の機能は、通信により接続されたサーバーにより実現されてもよい。
【００３３】
次に各部で行われる処理について説明する。
【００３４】
まず、送受信部１１０は、超音波トランスデューサーデバイス２０に対して超音波の送受信制御を行う。例えば送受信部１１０は、送信パルス発生器と、送信遅延回路と、送受信切替スイッチと、受信遅延回路と、フィルター回路と、メモリと、Ａ／Ｄ変換回路等を含む。
【００３５】
具体的に、送信パルス発生器（パルサー回路）は、送信パルス電圧を印加させ、超音波プローブ２００を駆動させる。
【００３６】
また、送信遅延回路は、送波ビームをフォーカシングする。そのために、送信遅延回路は、送信パルス電圧の印加タイミングに関して、チャンネル間で時間差を与え、複数の振動素子から発生した超音波を集束させる。このように、遅延時間を変化させることにより、焦点距離を任意に変化させることが可能である。
【００３７】
また、送受信切替スイッチは、超音波の送受信の切り替え処理を行う。送受信切替スイッチは、送信時の振幅パルスが受信回路に入力されないように保護し、受信時の信号を受信回路に通す。
【００３８】
受信遅延回路は、受波ビームをフォーカシングする。ある反射体からの反射波は球面上に広がるため、受信遅延回路は、各振動子に到達する時間が同じになるように遅延時間を与え、遅延時間を考慮して反射波を加算する。
【００３９】
そして、フィルター回路は、受信信号に対して帯域通過フィルターによりフィルター処理を行い、雑音を除去する。
【００４０】
また、メモリは、フィルター回路から出力された受信信号を記憶するもので、その機能はＲＡＭ等のメモリやＨＤＤなどにより実現できる。
【００４１】
そして、超音波トランスデューサーデバイス２０は、走査面に沿って対象物をスキャンしながら、対象物に対して超音波ビームを送信すると共に、超音波ビームによる超音波エコーを受信する。圧電素子を用いるタイプを例にとれば、超音波トランスデューサーデバイス２０は、複数の超音波トランスデューサー素子（超音波素子アレイ）と、複数の開口がアレイ状に配置された基板とを有する。そして、超音波トランスデューサー素子としては、薄手の圧電素子と金属板（振動膜）を貼り合わせたモノモルフ（ユニモルフ）構造を用いたものを用いる。超音波トランスデューサー素子（振動素子）は、電気的な振動を機械的な振動に変換するものであるが、この場合には、圧電素子が面内で伸び縮みすると貼り合わせた金属板（振動膜）の寸法はそのままであるため反りが生じる。
【００４２】
また、超音波トランスデューサーデバイス２０では、近隣に配置された数個の超音波トランスデューサー素子で一つのチャンネルを構成し、１回に複数のチャンネルを駆動しながら、超音波ビームを順次移動させるものであってもよい。
【００４３】
なお、超音波トランスデューサーデバイス２０としては、圧電素子（薄膜圧電素子）を用いるタイプのトランスデューサーを採用できるが、本実施形態はこれに限定されない。例えばｃ‐ＭＵＴ（Capacitive Micro-machined Ultrasonic Transducers）などの容量性素子を用いるタイプのトランスデューサーを採用してもよいし、バルクタイプのトランスデューサーを採用してもよい。超音波トランスデューサー素子及び超音波トランスデューサーデバイス２０のさらに詳細な説明については、後述する。
【００４４】
次に、処理部１２０は、超音波トランスデューサーデバイス２０からの受信信号に基づいて処理を行う。例えば、処理部１２０は、受信信号に基づいて、超音波トランスデューサーデバイス２０の走査面の方向が所与の方向に対して傾いているか否か等の検出処理を行う。
【００４５】
他にも、処理部１２０は、超音波の受信信号の振幅を主として解析して、被検体の内部構造を画像化したＢ（Brightness）モード画像（断層画像）のデータを生成し、生成したＢモード画像データに基づいて、生体組織の解析処理等を行ってもよい。Ｂモード画像データとは、超音波のＡ（Amplitude）モード波形における振幅を点の明るさ（輝度）として表した画像データのことをいう。このようなＢモード画像データを生成する場合には、処理部１２０は、例えば検波処理部と、対数変換処理部と、ゲイン・ダイナミックレンジ調整部と、ＳＴＣ（Sensitivity Time Control）と、ＤＳＣ（Digital Scan Converter）と、を含む。
【００４６】
そして、検波処理部は、受信信号に対して絶対値（整流）処理を行った後に、低域通過フィルターをかけて、非変調信号を抽出する。
【００４７】
次に、対数変換処理部は、非変調信号に対してＬｏｇ圧縮を行い、受信信号の信号強度の最大部分と最小部分を同時に確認しやすいように、表現形式を変換する。
【００４８】
そして、ゲイン・ダイナミックレンジ調整部は、信号強度及び関心領域を調整する。具体的に、ゲイン調整処理では、Ｌｏｇ圧縮後の信号に対して、直流成分を加える。また、ダイナミックレンジ調整処理では、Ｌｏｇ圧縮後の信号に対して、任意の数を乗算する。
【００４９】
さらに、ＳＴＣは、生体組織での深さに応じて信号の増幅度（明るさ）を補正し、画面全体で一様な明るさの画像を取得する。
【００５０】
そして、ＤＳＣは、走査変換処理を行って、Ｂモード画像データを生成する。例えば、ＤＳＣは、バイリニアなどの補間処理により、ライン信号を画像信号に変換する。
【００５１】
なお、処理部１２０の機能は、各種プロセッサー（ＣＰＵ等）、ＡＳＩＣ（ゲートアレイ等）などのハードウェアや、プログラムなどにより実現できる。
【００５２】
そして、音出力部１３０は、処理部１２０の検出処理の結果に基づいて、音を出力する。
【００５３】
さらに、表示部３００は、処理部１２０の解析処理の結果に基づいて、Ｂモード画像を表示する。なお、表示部３００は、例えば液晶ディスプレイや有機ＥＬディスプレイ、電子ペーパーなどにより実現できる。
【００５４】
ここで、本実施形態の超音波測定装置（広義には電子機器）の具体的な機器構成の例を図２（Ａ）〜図２（Ｃ）に示す。図２（Ａ）はハンディタイプの超音波測定装置の例であり、図２（Ｂ）は据置タイプの超音波測定装置の例である。図２（Ｃ）は超音波プローブ２００が本体に内蔵された一体型の超音波測定装置の例である。
【００５５】
図２（Ａ）、図２（Ｂ）の超音波測定装置は、超音波プローブ２００と超音波測定装置本体１０１（広義には電子機器本体）を含み、超音波プローブ２００と超音波測定装置本体１０１はケーブル２１０により接続される。また、超音波プローブ２００の先端部分には、プローブヘッド２２０が設けられており、超音波測定装置本体１０１には、画像を表示する表示部３００が設けられている。図２（Ｃ）では、表示部３００を有する超音波測定装置に超音波プローブ２００が内蔵されている。図２（Ｃ）の場合、超音波測定装置は、例えばスマートフォンなどの汎用の携帯情報端末により実現できる。
【００５６】
３．本実施形態の手法
まず、本実施形態の測定対象の一例として、被検体（人間）の腹部（腹直筋）を図３（Ａ）に示し、その際の被検体の腹部の断面図（エコー画像）を図３（Ｂ）に示す。図３（Ａ）のように、超音波プローブＰＢを腹部に押し付けた場合には、図３（Ｂ）に示す測定領域ＥＡの生体組織の解析処理が行われる。
【００５７】
次に、本実施形態の手法について説明する。
【００５８】
本実施形態の超音波測定装置は、走査面に沿ってスキャンしながら超音波ビームを送信すると共に、超音波ビームによる超音波エコーを受信する超音波トランスデューサーデバイス２０と、超音波トランスデューサーデバイス２０からの受信信号に基づいて処理を行う処理部１２０と、音を出力する音出力部１３０と、を含む。そして、音出力部１３０は、測定箇所表面に対する超音波トランスデューサーデバイス２０の走査面の方向に応じて、音量、音の出力間隔、音の周波数及び音パターンのうちの少なくとも一つが変化する音を出力する。
【００５９】
このように、本実施形態では、測定箇所表面に対する超音波トランスデューサーデバイス２０の走査面の方向が変わった場合に、音量、音の出力間隔、音の周波数及び音パターンのうちの少なくとも一つが異なる音を出力して、適正な測定状態である否かを音でユーザーに報知する。
【００６０】
例えば図２（Ａ）、図２（Ｃ）のようなハンディタイプの超音波測定装置等では特に、ユーザーが表示部３００の画面を見ながら、適正な走査面の方向を模索して測定を行うことが難しいという問題がある。
【００６１】
この点、本実施形態の手法によれば、ユーザーが表示部３００の画面を確認しなくても、音で適正な測定状態である否かを判断できるため、上記のような問題を解消し、ユーザーの操作性や利便性を向上することが可能となる。
【００６２】
また、本実施形態の超音波測定装置は、前述したように表示部３００を有している。そして、超音波の画像表示方法は数種類あり、超音波の受信信号における振幅を輝度に変換して２次元画像として表示するＢモードと呼ばれる方法と、超音波の振幅をグラフとして描くＡモードと呼ばれる方法がある。具体的に、Ｂモード画像の一例を図４（Ａ）に示し、Ａモード波形の一例を図４（Ｂ）に示す。図４（Ａ）のＢモード画像では、縦軸が被検体の表層面からの深さ方向となっている。例えば骨や組織境界のように超音波の反射率が高い生体組織は、高い輝度である白色で描かれる。一方、超音波の反射率が低い生体組織は、低い輝度である黒色で描かれる。このＢモード画像は、Ａモード波形データの振幅を輝度に変換すること生成できる。一方で、図４（Ｂ）のＡモード波形は、図４（Ａ）のＢモード画像中の破線Ｌ１部分の輝度値を表しており、縦軸は表層面からの深さ方向の距離を表す。なお、前述したように、一般的なＡモード波形の横軸は、受信信号の振幅強度を表すが、図４（Ｂ）の例では振幅を輝度値に変換した値を用いている。
【００６３】
そして、骨や組織境界等の特定の生体組織に対応するピーク波形の振幅は、測定箇所表面（体の表面）に対する超音波ビームの走査面の方向（走査面と測定箇所表面とのなす角度）に応じて変化する。
【００６４】
そこで、処理部１２０は、受信信号に基づいて得られるＡモード波形データの振幅に基づいて、音量、音の出力間隔、音の周波数及び音パターンのうちの少なくとも一つを変化させる処理を行ってもよい。
【００６５】
これにより、Ａモード波形データの振幅に基づいて音を変化させる処理を行うことで、超音波トランスデューサーデバイス２０の走査面の方向に応じて音を変化させること等が可能になる。
【００６６】
より具体的に説明すると、処理部１２０は、測定箇所表面に対する超音波トランスデューサーデバイス２０の走査面の方向が、第１の方向〜第Ｋ（Ｋは２以上の整数）の方向のうちの第Ｌ（１≦Ｌ≦Ｋ）の方向である時のＡモード波形データ群を、受信信号に基づいて取得し、第Ｌの方向でのＡモード波形データ群に基づいて、Ａモード波形データの振幅を求め、求めた振幅に基づいて、音量、音の出力間隔、音の周波数及び音パターンのうちの少なくとも一つを設定する処理を行ってもよい。
【００６７】
例えば図５のＢ１、Ｂ２、Ｂ３では、測定箇所表面に対する超音波ビームの走査面の方向を変化させることで得られる複数のＡモード波形データが取得されている。例えばＢ１、Ｂ２、Ｂ３では、各々、走査面の方向が第１の方向ＤＲ１、第２の方向ＤＲ２、第３の方向ＤＲ３である場合のＡモード波形データが取得されている。すなわち、Ｋ＝３の例である。
【００６８】
このとき、方向ＤＲ１、ＤＲ２は、測定箇所の体の表面に対して垂直な方向ではなく、適正な走査面の方向となっていない。このため、Ｂ１、Ｂ２のＡモード波形データでは、骨に対応する注目ピーク波形での振幅が小さくなっている。
【００６９】
一方、方向ＤＲ３は、測定箇所の体の表面に対して垂直（略垂直）な方向になっており、適正な走査面の方向となっている。このため、Ｂ３のＡモード波形データでは、骨に対応する注目ピーク波形での振幅が、Ｂ１、Ｂ２のＡモード波形データでの振幅よりも大きくなっており、最大となっている。即ち、超音波ビームの走査面の方向が適正である場合には、注目ピーク波形の振幅も大きくなる。
【００７０】
そして、Ｌ＝１である時と、Ｌ＝２である時と、Ｌ＝３である時のそれぞれにおいて、音量、音の出力間隔、音の周波数及び音パターンのうちの少なくとも一つを設定する処理を行う。つまり、Ｌ＝１である時と、Ｌ＝２である時と、Ｌ＝３である時とにおいて、それぞれ異なる音を出力することができる。なお、一度の超音波測定において、Ｌ＝１〜Ｋの全ての場合について連続して測定処理と音の設定処理を行わなければならない訳ではなく、Ｌ＝１〜Ｋのうちのいずれかの場合についてのみ測定処理と音の設定処理を行ってもよい。
【００７１】
これにより、出力される音によって、超音波トランスデューサーデバイス２０の走査面の方向がどの方向を向いているかをユーザーが判断すること等が可能になる。
【００７２】
さて、図５のＢモード画像は、図６（Ａ）のリニアスキャン方式で生成された画像の例である。なお、Ｂモード画像やＡモード波形データの生成・取得手法は、これに限定されず、図６（Ｂ）のようなセクタースキャン方式であってもよい。
【００７３】
図６（Ａ）のリニアスキャン方式では、例えば、超音波の送受信の１チャンネルごとにシフトしながらＡモード波形データが取得され、例えば１回分のリニアスキャンで取得されたＡモード波形データ群の振幅を輝度に変換することで、Ｂモード画像が生成される。この場合に、図５のＢ１〜Ｂ３で説明した各Ａモード波形データは、例えば１回分のリニアスキャンで取得されたＡモード波形データ群の平均化処理により求めることができる。即ち、Ａモード波形データ群のＡモード波形データの各深度での各振幅の平均化処理を行うことで、Ｂ１〜Ｂ３の各Ａモード波形データを求める。或いは、１回分のリニアスキャンで取得されたＡモード波形データ群の中から代表Ａモード波形データ（例えばリニアスキャンにおける中央付近のＡモード波形データ）を選択し、Ｂ１〜Ｂ３の各Ａモード波形データとして、この代表Ａモード波形データを用いてもよい。
【００７４】
本実施形態のＡモード波形データ群は、例えば、このような１回分のスキャンで取得される複数のＡモード波形データにより構成される群である。これらの複数のＡモード波形データに対する平均化処理や選択処理を行うことで、各Ａモード波形データ群（第１〜第Ｋの各Ａモード波形データ群）に対応する各Ａモード波形データ（第１〜第Ｋの各Ａモード波形データ）が求められる。
【００７５】
なお、図６（Ａ）、図６（Ｂ）において、超音波トランスデューサーデバイス２０の走査面とは、各スキャンにおいて送信される超音波ビームＢＭ１〜ＢＭｊが沿う面であり、図６（Ａ）、図６（Ｂ）の紙面に平行な面である。
【００７６】
また、図６（Ａ）のリニアスキャンでは、選択されたチャンネル（例えばチャンネルＣＨ１〜ＣＨ８）の幅に対応する出射幅ＷＳの超音波ビームが超音波トランスデューサーデバイス２０から出射される。図６（Ｂ）のセクタースキャンでは、ライン状のデバイス幅全体（或いはセクタースキャンの対象チャンネルの幅）にわたる出射幅ＷＳの超音波ビームが超音波トランスデューサーデバイス２０から出射される。そして、図６（Ｃ）に示すように、送信信号の遅延制御や音響レンズ等により、スキャン方向での幅がフォーカス点ＦＰにおいて集束するように超音波ビームの送信フォーカス制御が行われる。
【００７７】
以上のように、処理部１２０は、第Ｌの方向でのＡモード波形データ群の平均化処理又は第Ｌの方向でのＡモード波形データ群からの代表Ａモード波形データの選択処理を行うことで、Ａモード波形データを求めてもよい。
【００７８】
これにより、第ＬのＡモード波形データの振幅を算出すること等が可能になる。
【００７９】
また、処理部１２０は、受信信号に基づいて得られるＢモード画像の輝度値に基づいて、音量、音の出力間隔、音の周波数及び音パターンのうちの少なくとも一つを変化させる処理を行ってもよい。
【００８０】
また、出力される音は、Ａモード波形データの振幅に応じて連続的に変化する音であってもよい。
【００８１】
そこで、処理部１２０は、受信信号に基づいて得られるＡモード波形データの振幅に基づいて、音生成部からの音に対して、ＡＭ変調又はＦＭ変調を行い、音出力部１３０は、ＡＭ変調又はＦＭ変調後の音を出力してもよい。
【００８２】
なお、音生成部は、本実施形態の超音波測定装置に設けられていてもよいし、外部に設けられていても良い。
【００８３】
これにより、Ａモード波形データの振幅に応じて連続的に変化する音を出力すること等が可能になる。
【００８４】
より具体的に説明すると、処理部１２０は、測定箇所表面に対する超音波トランスデューサーデバイス２０の走査面の方向が、第１の方向〜第Ｋ（Ｋは２以上の整数）の方向のうちの第Ｌ（１≦Ｌ≦Ｋ）の方向である時のＡモード波形データ群を、受信信号に基づいて取得し、第Ｌの方向でのＡモード波形データ群に基づいて、Ａモード波形データの振幅を求め、求めた振幅に基づいて、音生成部からの音に対して、ＡＭ変調又はＦＭ変調を行ってもよい。
【００８５】
これにより、出力される音によって、超音波トランスデューサーデバイス２０の走査面の方向がどの方向を向いているかをユーザーが判断すること等が可能になる。
【００８６】
また、処理部１２０は、走査面が測定箇所表面に対して垂直な面に近付くにつれて、音量を大きくする処理、音の出力間隔を速くする処理、音の周波数を高くする処理、及び音パターンを変更する処理のうちの少なくとも一つの処理を行ってもよい。
【００８７】
例えば、図７のように、測定箇所表面に対して垂直な方向と、走査面の方向がずれているＤＲ１とＤＲ２の場合には、音を出力せず、測定箇所表面に対して垂直な方向と、走査面の方向が一致しているＤＲ３の場合には、メロディＭＤを出力してもよい。
【００８８】
これにより、例えば、音量が大きくなるほど、若しくは音の出力間隔が速くなるほど、又は音の周波数が高くなるほど、走査面が測定箇所表面に対して垂直な面に近付いたとユーザーが判断すること等が可能になる。さらに、所与のパターンの音が鳴った時に、走査面が測定箇所表面に対して垂直な面に近付いたとユーザーが判断すること等が可能になる。
【００８９】
また逆に、走査面が測定箇所表面に対して垂直な面に近付いた時に、出力していた音を非出力にしてもよい。
【００９０】
すなわち、音出力部１３０は、受信信号に基づいて得られるＡモード波形の振幅が所与の閾値未満の場合には、音を非出力とし、振幅が所与の閾値以上の場合に、音の出力を開始してもよい。
【００９１】
これにより、音が出力されなくなった時に、走査面が測定箇所表面に対して垂直な面に近付いたとユーザーが判断すること等が可能になる。
【００９２】
さらに、処理部１２０は、走査面が測定箇所表面に対して垂直な面に近付くにつれて、音量を小さくする処理、音の出力間隔を遅くする処理、音の周波数を低くする処理、及び音パターンを変更する処理のうちの少なくとも一つの処理を行ってもよい。
【００９３】
例えば、図８のように、測定箇所表面に対して垂直な方向と、走査面の方向がずれているＤＲ１とＤＲ２の場合には、音（ＳＤ１及びＳＤ２）を出力し、測定箇所表面に対して垂直な方向と、走査面の方向が一致しているＤＲ３の場合には、音を非出力にしてもよい。
【００９４】
これにより、例えば、音量が小さくなるほど、若しくは音の出力間隔が遅くなるほど、又は音の周波数が低くなるほど、走査面が測定箇所表面に対して垂直な面に近付いたとユーザーが判断すること等が可能になる。さらに、所与のパターンの音が鳴らなくなった時に、走査面が測定箇所表面に対して垂直な面に近付いたとユーザーが判断すること等が可能になる。
【００９５】
以下では、図９のフローチャートを用いて、本実施形態の処理の流れについて説明する。
【００９６】
まず、被検体表面の測定部位に超音波プローブを接触させ、超音波プローブに設けられた圧力センサーから押し圧データを取得し（Ｓ１０１）、押し圧を検出する（Ｓ１０２）。
【００９７】
そして、適正な押し圧か否かを判定し（Ｓ１０３）、適正な押し圧であると判定した場合には、アラーム音を出力する（Ｓ１０４）。適正な押し圧は、例えば筋肉や脂肪の量、被検体表面の硬さ等により、測定部位毎に異なる。そのため、測定部位毎の適正押し圧をあらかじめ記憶しておき、測定部位に対応する適正押し圧を読み出すことで、測定部位に適した測定が可能になる。測定部位の他にも、年齢、性別、人種などによって異なる適正押し圧を記憶しておき、これを用いても良い。他にも、被検体の体型（筋肉質、普通、太めなど）ごとに適正押し圧を記憶しておいてもよい。
【００９８】
一方で、適正な押し圧ではないと判定した場合には、アラーム音が出力されないため、アラーム音が出力されるまで、ユーザーが押し圧を調整し、その間、押し圧の検出処理を繰り返す（Ｓ１０２）。
【００９９】
そして、適正な押し圧になった時点で、前述したリニアスキャンを行う。まず、走査線番号ｎの初期値を１に設定する（Ｓ１０５）。次に、超音波パルスを送信し（Ｓ１０６）、送信した超音波パルスに対する超音波エコーを受信する（Ｓ１０７）。そして、超音波エコーの受信信号に基づいて、Ａモード波形データを生成し（Ｓ１０８）、生成したＡモード波形データに基づいて、音生成部が生成した音に対してＡＭ変調（又はＦＭ変調）を行い（Ｓ１０９）、ＡＭ変調（又はＦＭ変調）後の音データを増幅し（Ｓ１１０）、増幅された音を出力する（Ｓ１１１）。
【０１００】
そして、Ａモード波形データを記憶し（Ｓ１１２）、走査線番号ｎがｎ＜Ｎ（Ｎは走査線数）であるか否かを判定する（Ｓ１１３）。ｎ＜Ｎであると判定した場合には、走査線番号ｎを更新（ｎに１を加算）して（Ｓ１１４）、ステップＳ１０６から処理を繰り返す。
【０１０１】
一方で、ｎ≧Ｎであると判定した場合には、リニアスキャンを終了し、記憶したＡモード波形データ群に基づいてＢモード画像を生成し（Ｓ１１５）、Ａモード波形データ及びＢモード画像を表示部に表示する（Ｓ１１６）。
【０１０２】
また、この間、ステップＳ１１１で出力された音は鳴り続けており、出力されている音を聞いたユーザーが、超音波プローブが最適な傾きになるように向きを調整し、最適な傾きになった時点で、表示部に表示されているＡモード波形データ及びＢモード画像をホールドする。そして、Ａモード波形データ及びＢモード画像がホールドされたか否かを判定し（Ｓ１１７）、Ａモード波形データ及びＢモード画像がホールドされたと判定した場合には、処理を終了する。
【０１０３】
一方で、Ａモード波形データ及びＢモード画像がホールドされなかったと判定した場合には、ステップＳ１０５の処理に戻る。そして、Ａモード波形データ及びＢモード画像がホールドされるまで、ステップＳ１０５〜Ｓ１１６までの処理を繰り返し、超音波プローブが適正な傾きの時に得られるＡモード波形データ及びＢモード画像が表示されるまで処理を続ける。
【０１０４】
これにより、ユーザーは出力される音により、超音波プローブの傾きが測定に最適か否かを判断しながら、超音波プローブを調整して、超音波プローブの傾きが測定に最適な状態である時に取得されたＡモード波形データ及びＢモード画像を確認することが可能になる。
【０１０５】
また、以上では人体の脂肪厚や筋厚の測定時に本実施形態の手法を適用した場合について説明したが、本実施形態はこれに限定されない。例えば肉牛や豚などの畜産物の出荷時期の確認や肉質の確認時に本実施形態の手法を適用してもよい。例えば肉牛の肉質（脂肪交雑）の判定時に、本実施形態の手法を適用してもよい。
【０１０６】
なお、本実施形態の超音波測定装置等は、その処理の一部または大部分をプログラムにより実現してもよい。この場合には、ＣＰＵ等のプロセッサーがプログラムを実行することで、本実施形態の超音波測定装置等が実現される。具体的には、情報記憶媒体に記憶されたプログラムが読み出され、読み出されたプログラムをＣＰＵ等のプロセッサーが実行する。ここで、情報記憶媒体（コンピューターにより読み取り可能な媒体）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶媒体に格納されるプログラム（データ）に基づいて本実施形態の種々の処理を行う。即ち、情報記憶媒体には、本実施形態の各部としてコンピューター（操作部、処理部、記憶部、出力部を備える装置）を機能させるためのプログラム（各部の処理をコンピューターに実行させるためのプログラム）が記憶される。
【０１０７】
４．超音波トランスデューサー素子
図１０（Ａ）〜図１０（Ｃ）に、超音波トランスデューサーデバイス２０の超音波トランスデューサー素子１０の構成例を示す。この超音波トランスデューサー素子１０は、振動膜（メンブレン、支持部材）５０と圧電素子部とを有する。圧電素子部は、第１電極層（下部電極）２１、圧電体層（圧電体膜）３０、第２電極層（上部電極）２２を有する。
【０１０８】
図１０（Ａ）は、基板（シリコン基板）６０に形成された超音波トランスデューサー素子１０の、素子形成面側の基板６０に垂直な方向から見た平面図である。図１０（Ｂ）は、図１０（Ａ）のＡ−Ａ’に沿った断面を示す断面図である。図１０（Ｃ）は、図１０（Ａ）のＢ−Ｂ’に沿った断面を示す断面図である。
【０１０９】
第１電極層２１は、振動膜５０の上層に例えば金属薄膜で形成される。この第１電極層２１は、図１０（Ａ）に示すように素子形成領域の外側へ延長され、隣接する超音波トランスデューサー素子１０に接続される配線であってもよい。
【０１１０】
圧電体層３０は、例えばＰＺＴ（ジルコン酸チタン酸鉛）薄膜により形成され、第１電極層２１の少なくとも一部を覆うように設けられる。なお、圧電体層３０の材料は、ＰＺＴに限定されるものではなく、例えばチタン酸鉛（ＰｂＴｉＯ３）、ジルコン酸鉛（ＰｂＺｒＯ３）、チタン酸鉛ランタン（（Ｐｂ、Ｌａ）ＴｉＯ３）などを用いてもよい。
【０１１１】
第２電極層２２は、例えば金属薄膜で形成され、圧電体層３０の少なくとも一部を覆うように設けられる。この第２電極層２２は、図１０（Ａ）に示すように素子形成領域の外側へ延長され、隣接する超音波トランスデューサー素子１０に接続される配線であってもよい。
【０１１２】
振動膜（メンブレン）５０は、例えばＳｉＯ２薄膜とＺｒＯ２薄膜との２層構造により開口４０を塞ぐように設けられる。この振動膜５０は、圧電体層３０及び第１、第２電極層２１、２２を支持すると共に、圧電体層３０の伸縮に従って振動し、超音波を発生させることができる。
【０１１３】
開口（空洞領域）４０は、シリコン基板６０の裏面（素子が形成されない面）側から反応性イオンエッチング（RIE: Reactive Ion Etching）等によりエッチングすることで形成される。この空洞領域４０の形成によって振動可能になった振動膜５０のサイズによって超音波の共振周波数が決定され、その超音波は圧電体層３０側（図１０（Ａ）において紙面奥から手前方向）に放射される。
【０１１４】
超音波トランスデューサー素子１０の下部電極（第１電極）は、第１電極層２１により形成され、上部電極（第２電極）は、第２電極層２２により形成される。具体的には、第１電極層２１のうちの圧電体層３０に覆われた部分が下部電極を形成し、第２電極層２２のうちの圧電体層３０を覆う部分が上部電極を形成する。即ち、圧電体層３０は、下部電極と上部電極に挟まれて設けられる。
【０１１５】
５．超音波トランスデューサーデバイス
図１１に、超音波トランスデューサーデバイス２０（素子チップ）の構成例を示す。本構成例の超音波トランスデューサーデバイス２０は、複数の超音波トランスデューサー素子群ＵＧ１〜ＵＧ６４、駆動電極線ＤＬ１〜ＤＬ６４（広義には第１〜第ｎの駆動電極線。ｎは２以上の整数）、コモン電極線ＣＬ１〜ＣＬ８（広義には第１〜第ｍのコモン電極線。ｍは２以上の整数）を含む。なお、駆動電極線の本数（ｎ）やコモン電極線の本数（ｍ）は、図１１に示す本数には限定されない。
【０１１６】
複数の超音波トランスデューサー素子群ＵＧ１〜ＵＧ６４は、第２の方向Ｄ２（スキャン方向）に沿って６４列に配置される。ＵＧ１〜ＵＧ６４の各超音波トランスデューサー素子群は、第１の方向Ｄ１（スライス方向）に沿って配置される複数の超音波トランスデューサー素子を有する。
【０１１７】
図１２（Ａ）に、超音波トランスデューサー素子群ＵＧ（ＵＧ１〜ＵＧ６４）の例を示す。図１２（Ａ）では、超音波トランスデューサー素子群ＵＧは第１〜第４の素子列により構成される。第１の素子列は、第１の方向Ｄ１に沿って配置される超音波トランスデューサー素子ＵＥ１１〜ＵＥ１８により構成され、第２の素子列は、第１の方向Ｄ１に沿って配置される超音波トランスデューサー素子ＵＥ２１〜ＵＥ２８により構成される。第３の素子列（ＵＥ３１〜ＵＥ３８）、第４の素子列（ＵＥ４１〜ＵＥ４８）も同様である。これらの第１〜第４の素子列には、駆動電極線ＤＬ（ＤＬ１〜ＤＬ６４）が共通接続される。また、第１〜第４の素子列の超音波トランスデューサー素子にはコモン電極線ＣＬ１〜ＣＬ８が接続される。
【０１１８】
そして、図１２（Ａ）の超音波トランスデューサー素子群ＵＧが、超音波トランスデューサーデバイスの１チャンネルを構成する。即ち、駆動電極線ＤＬが１チャンネルの駆動電極線に相当し、送信回路からの１チャンネルの送信信号は駆動電極線ＤＬに入力される。また駆動電極線ＤＬからの１チャンネルの受信信号は駆動電極線ＤＬから出力される。なお、１チャンネルを構成する素子列数は図１２（Ａ）のような４列には限定されず、４列よりも少なくてもよいし、４列よりも多くてもよい。例えば図１２（Ｂ）に示すように、素子列数は１列であってもよい。
【０１１９】
図１１に示すように、駆動電極線ＤＬ１〜ＤＬ６４（第１〜第ｎの駆動電極線）は、第１の方向Ｄ１に沿って配線される。駆動電極線ＤＬ１〜ＤＬ６４のうちの第ｊ（ｊは１≦ｊ≦ｎである整数）の駆動電極線ＤＬｊ（第ｊのチャンネル）は、第ｊの超音波トランスデューサー素子群ＵＧｊの超音波トランスデューサー素子が有する第１の電極（例えば下部電極）に接続される。
【０１２０】
超音波を出射する送信期間には、送信信号ＶＴ１〜ＶＴ６４が駆動電極線ＤＬ１〜ＤＬ６４を介して超音波トランスデューサー素子に供給される。また、超音波エコー信号を受信する受信期間には、超音波トランスデューサー素子からの受信信号ＶＲ１〜ＶＲ６４が駆動電極線ＤＬ１〜ＤＬ６４を介して出力される。
【０１２１】
コモン電極線ＣＬ１〜ＣＬ８（第１〜第ｍのコモン電極線）は、第２の方向Ｄ２に沿って配線される。超音波トランスデューサー素子が有する第２の電極は、コモン電極線ＣＬ１〜ＣＬ８のうちのいずれかに接続される。具体的には、例えば図１１に示すように、コモン電極線ＣＬ１〜ＣＬ８のうちの第ｉ（ｉは１≦ｉ≦ｍである整数）のコモン電極線ＣＬｉは、第ｉ行に配置される超音波トランスデューサー素子が有する第２の電極（例えば上部電極）に接続される。
【０１２２】
コモン電極線ＣＬ１〜ＣＬ８には、コモン電圧ＶＣＯＭが供給される。このコモン電圧ＶＣＯＭは一定の直流電圧であればよく、０Ｖ、即ちグランド電位（接地電位）でなくてもよい。
【０１２３】
そして、送信期間では、送信信号電圧とコモン電圧との差の電圧が超音波トランスデューサー素子に印加され、所定の周波数の超音波が放射される。
【０１２４】
なお、超音波トランスデューサー素子の配置は、図１１に示すマトリックス配置に限定されず、いわゆる千鳥配置等であってもよい。
【０１２５】
また、図１０（Ａ）〜図１２（Ｂ）では、１つの超音波トランスデューサー素子が送信素子及び受信素子の両方に兼用される場合について示したが、本実施形態はこれに限定されない。例えば送信素子用の超音波トランスデューサー素子、受信素子用の超音波トランスデューサー素子を別々に設けて、アレイ状に配置してもよい。
【０１２６】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、超音波測定装置の構成、動作も本実施形態で説明したものに限定されず、種々の変形実施が可能である。
【符号の説明】
【０１２７】
２０  超音波トランスデューサーデバイス、１１０  送受信部、１２０  処理部、
１３０  音出力部、２００  超音波プローブ、３００  表示部
【図１】
2014226186.tif 000003
【図２】
2014226186.tif 000004
【図３】
2014226186.tif 000005
【図６】
2014226186.tif 000006
【図７】
2014226186.tif 000007
【図８】
2014226186.tif 000008
【図９】
2014226186.tif 000009
【図１０】
2014226186.tif 000010
【図１１】
2014226186.tif 000011
【図１２】
2014226186.tif 000012
【図４】
2014226186.tif 000013
【図５】
2014226186.tif 000014